(57)【要約】【課題】十分な防護性を備えつつ、商品補充等の作業性が改善された扉用ロック装置を提供する。【解決手段】箱体４０に設置される本体１１と、本体１１の一端側に基端側が支承され、且つ扉開放不能位置と扉開放位置との間を回動自在に延設されたストッパアーム２０と、本体１１とストッパアーム２０の少なくとも一方に具備された錠機構３０とを備え、錠機構３０が施錠状態で扉開放不能位置に保持されるストッパアーム２０が、箱体４０の前面に設置され且つ閉じた状態の扉４２を開放不能にする扉用ロック装置１０に、閉じた状態の扉４２の表面に沿った平面上をストッパアーム２０が回動するように組み付ける。【選択図】      図４
2004156279.tif 000002
【特許請求の範囲】
【請求項１】
箱体に設置される本体と、この本体の一端側に基端側が支承され、且つ扉開放不能位置と扉開放位置との間を回動自在に延設されたストッパアームと、これら本体とストッパアームの少なくとも一方に具備された錠機構とを備え、この錠機構が施錠状態で前記扉開放不能位置に保持される該ストッパアームが、該箱体の前面に設置され且つ閉じた状態の扉を開放不能にする扉用ロック装置であって、
閉じた状態の前記扉の表面に沿った平面上に設定された前記扉開放不能位置と前記扉開放位置との間を前記ストッパアームが回動することを特徴とする扉用ロック装置。
【請求項２】
請求項１に記載の扉用ロック装置において、
前記本体の一端側に設けられた係合部と、前記ストッパアームの基端側に設けられた係合受け部とを備え、
前記扉開放不能位置、および扉開放位置に前記ストッパアームが位置する状態で、該係合部と該係合受け部とが係合可能に形成されたことを特徴とする扉用ロック装置。
【請求項３】
請求項１、または請求項２に記載の扉用ロック装置において、
前記錠機構が施錠操作されることにより、前記扉開放位置に前記ストッパアームが保持されることを特徴とする扉用ロック装置。
【請求項４】
請求項２に記載の扉用ロック装置において、
前記係合部と前記係合受け部からなる回転防止構造が複数設けられていることを特徴とする扉用ロック装置
【発明の詳細な説明】
【０００１】
【発明の属する技術分野】
本発明は、箱体の側面に固着されてその箱体の前面を開閉する扉を開放不能に拘束するために用いられる扉用ロック装置に関する。
【０００２】
【従来の技術】
従来より、店頭、および路上に設置される自動販売機には、自動販売機内部の商品、および金銭の盗難を防止するためにシリンダ錠などの扉用ロック装置が設けられている。しかし、このような扉用ロック装置だけでは、外部からの強制的な外力に対して十分ではないため、扉、および箱体には、様々な防護手段が施されている。
【０００３】
たとえば、第２８５３９９４号特許公報に開示されている自動販売機等の扉用ロック装置は、図２０に示されるように、固定翼板４をボックス本体２ａの側面に固着し、軸ピン５を固定翼板４の軸孔３とストッパー翼板６の軸孔に挿入してストッパー翼板６を固定翼板４に連結し、ストッパー翼板６内に収納したロック板９を固定翼板４側の受孔７に係合させること、および、ロック板９の先端部９ａを軸ピン５の錠止受部８に係合させて軸ピン５の回転阻止断面部５ａがストッパー翼板６の軸孔に係合した状態に保持することによって、ストッパー翼板６が扉２ｂの前面に押し当てられた状態を堅持することで、ボックス本体２ａの前面と扉２ｂの背面間にバールを差し込んで無理やりに扉２ｂを抉じ開けようとする盗犯に対して強力な阻止力を有するものである。
【０００４】
【特許文献１】
第２８５３９９４号特許公報（図２）
【０００５】
【発明が解決しようとする課題】
しかしながら、上記従来の自動販売機等の扉用ロック装置１では、閉じた扉２ｂの面に対して垂直になるようにストッパー翼板６が回転することで、扉２ｂの開閉の支障とならない位置にストッパー翼板６を退避させるために、作業者が扉２ｂを開けた状態で商品の補充、入替え、および集金等の作業の妨げになっていた。
【０００６】
そこで本発明は、十分な防護性を備えつつ、商品補充等の作業性が改善された扉用ロック装置を提供することを目的とする。
【０００７】
【課題を解決するための手段】
請求項１に記載の発明は、箱体に設置される本体と、この本体の一端側に基端側が支承され、且つ扉開放不能位置と扉開放位置との間を回動自在に延設されたストッパアームと、これら本体とストッパアームの少なくとも一方に具備された錠機構とを備え、この錠機構が施錠状態で前記扉開放不能位置に保持される該ストッパアームが、該箱体の前面に設置され且つ閉じた状態の扉を開放不能にする扉用ロック装置であって、閉じた状態の前記扉の表面に沿った平面上に設定された前記扉開放不能位置と前記扉開放位置との間を前記ストッパアームが回動することを特徴とする。
【０００８】
請求項２に記載の発明は、請求項１に記載の扉用ロック装置において、前記本体の一端側に設けられた係合部と、前記ストッパアームの基端側に設けられた係合受け部とを備え、前記扉開放不能位置、および扉開放位置に前記ストッパアームが位置する状態で、該係合部と該係合受け部とが係合可能に形成されたことを特徴とする。
【０００９】
請求項３に記載の発明は、請求項１、または請求項２に記載の扉用ロック装置において、前記錠機構が施錠操作されることにより、前記扉開放位置に前記ストッパアームが保持されることを特徴とする。
【００１０】
請求項４に記載の発明は、請求項２に記載の扉用ロック装置において、前記係合部と前記係合受け部からなる回転防止構造が複数設けられていることを特徴とする。
【００１１】
【発明の実施の形態】
本発明の一実施形態としての扉用ロック装置について、図面を参照して詳細に説明する。本実施形態の扉用ロック装置１０は、所謂自動販売機に代表される箱体４０の側面４１に固着され、その箱体４０の前面を開閉する扉４２を開放不能に拘束するために使用された場合が示されている。
【００１２】
図１〜図４は、箱体４０に取付けられた扉用ロック装置１０の使用状態を示す斜視図で、図１は扉開放不能位置、且つ係合時の施錠状態が示され、図２は扉開放不能位置、且つ係合解除時の解錠状態が示され、図３は扉開放位置、且つ係合解除時の解錠状態が示され、図４は扉開放位置、且つ係合時の施錠状態が示されている。
【００１３】
図５は図１に示される扉用ロック装置１０の下面図で、且つストッパアーム２０についてＡ−Ａ線に沿った面で切った断面図、図６は図５のＢ−Ｂ線に沿った面で切った断面図、図７は、図６のＣ−Ｃ線に沿った面で切った断面図、図８は図１のＤ方向から見た側面図である。
【００１４】
扉用ロック装置１０は、箱体４０の側面４１に設置される本体１１と、この本体１１の一端側１１ａに基端側２０ａが支承され、且つ扉開放不能位置と扉開放位置との間を回動自在に延設されたストッパアーム２０とからなり、このストッパアーム２０に錠機構３０が設けられている。
【００１５】
本体１１は、略板形状を備え、箱体４０に取付けられる接地面１１ｂ側に段付き部１２ａと固定部１２ｂとが設けられている。段付き部１２ａは、扉４２の端部が箱体４０の側面４１よりも張り出している場合に、この張り出し部分を避けつつ箱体４０の側面４１に扉用ロック装置１０を取り付けられるように設けられている。また、固定部１２ｂにはネジ穴が形成され、箱体４０の側面４１内側からボルト（不図示）等により箱体４０の側面４１に固着されている。
【００１６】
さらに、本体１１の外面側には補強部１２ｃが設けられ、本体１１の軽量化を行いつつ、機械的強度を高めている。
【００１７】
また、本実施形態の扉用ロック装置１０には、２つの回転防止構造が設けられている。本体１１の一端に設けられた支承面１３には、第１の回転防止構造を構成する第１の係合部としての支承軸１４と、第２の回転防止構造を構成する第２の係合受け部としての係止穴１５が設けられており、それぞれが後述される支承穴２２と係止突起２３と係合可能に形成されている。
【００１８】
ストッパアーム２０は、略半円柱形状を備え、基端側２０ａ、且つ支承面１３に当接する回転面２１には、第１の回転防止構造を構成する第１の係合受け部としての支承穴２２と、第２の回転防止構造を構成する第２の係合部としての係止突起２３とが設けられている。また、ストッパアーム２０には、支承穴２２に連通しつつ、錠機構３０が収納される錠収納室２４が設けられている。錠機構３０は、シリンダカム３３とアームホルダ３４とからなるカム構造３２と、鍵（不図示）によって施錠、解錠が行われるシリンダ錠３１とから構成されている。
【００１９】
シリンダ錠３１は、略円筒形状を備え、基端側に鍵穴３１ａと、先端側にカム突起３１ｂと、外周にネジ山３１ｃとを具備し、鍵穴３１ａに挿入された鍵の操作によりカム突起３１ｂが回転する。また、シリンダ錠３１は、ストッパアーム２０の下面に設けられた錠挿通孔２４ｂを通じて先端側から錠収納室２４に挿入され、ネジ山３１ｃと螺合するラージナット３５によって錠収納室２４に固定されている。
【００２０】
シリンダカム３３は、略円柱形状を備え、一端側端面に長穴形状のシリンダ受け穴３３ａと、他端側に円柱状の支持突起３３ｂと、軸方向の中心付近に中心軸に対して垂直方向に延びるカム溝３３ｃ、３３ｃが設けられている。また、これらカム溝３３ｃ、３３ｃは、それぞれの底面３３ｄ、３３ｄが平行になるよう設けられている。さらに、シリンダカム３３は、シリンダ受け穴３３ａとカム突起３１ｂが係合しつつ、一端側を錠収納室２４にネジ２６で固定されるカムストッパ３６と、錠収納室２４の側壁に設けられた支持穴２４ａとによって回転自在に支持されている。なお、底面３３ｄ、３３ｄと、これら底面３３ｄ、３３ｄをつなぐ円弧状の周面３３ｅ、３３ｅとからカム面３３ｆが形成されている。
【００２１】
アームホルダ３４は、略Ｕ字形状を備え、且つ支承軸１４を支承する支承部３４ａと、四角形の板形状を備え、内部にシリンダカム３３のカム面３３ｆと当接するカム孔３４ｃを具備するカム部３４ｂが設けられている。カム孔３４ｃは、シリンダカム３３の直径とほぼ同じ径を備える円孔部分３４ｄと、この円孔部分３４ｄの円周上に削設され、シリンダカム３３の底面３３ｄ、３３ｄの部分がスライド可能な幅を備えた長孔部分３４ｅから形成されている。また、アームホルダ３４は、支承部３４ａの略Ｕ字状の面３４ｇとカム部３４ｂの一端面３４ｈとが一致し、且つ支承部３４ａのＵ字の底の部分に対向する端面３４ｉと、カム部３４ｂの一端面３４ｈと隣り合う他端面３４ｊとが結合することで、支承部３４ａとカム部３４ｂとが一体に形成されている。
【００２２】
本体１１の支承面１３に突設される支承軸１４は、その基端から先端に向かって、回転阻止部１４ａと、回転許可部１４ｂと、支持部１４ｃと、過回転防止部１４ｄとがこの順に形成されている。
【００２３】
回転阻止部１４ａは、略正方形断面を備えた段付き部で支承穴２２の開口部２２ａと係合してストッパアーム２０の回転を防止する。
【００２４】
回転許可部１４ｂは、回転阻止部１４ａの略正方形断面内に収まる径を備えた円形断面を備えている。これにより、ストッパアーム２０がスライドして回転阻止部１４ａと支承穴２２の開口部２２ａとの係合が解除されると回転許可部１４ｂと支承穴２２の開口部２２ａとは係合しないので、ストッパアーム２０の回転が可能になる。
【００２５】
支持部１４ｃは、アームホルダ３４の支承部３４ａに設けられたＵ字形状のフォーク部分３４ｆに挿入可能な径と長さを備えた円柱形状を備えている。
【００２６】
過回転防止部１４ｄは、円柱の円周上に軸方向に延びる突部１４ｆが設けられている。これにより、後述される底部２２ｂの側壁２２ｃと突部１４ｆとが当接し、ストッパアーム２０の過回転が防止される。
【００２７】
なお、支持部１４ｃは、回転許可部１４ｂ、および過回転防止部１４ｄよりも径が細くなるように形成されているので、フォーク部分３４ｆが回転許可部１４ｂと過回転防止部１４ｄとの間に嵌まり、フォーク部分３４ｆの軸方向へのスライドが規制されている。
【００２８】
ストッパアーム２０に設けらた支承穴２２は、開口部２２ａと底部２２ｂからなる二層構造を備えている。
【００２９】
開口部２２ａは、略正方形形状を備え、支承軸１４の回転阻止部１４ａと、回転許可部１４ｂ、および支承軸１４の支持部１４ｃが挿入された状態のフォーク部分３４ｆとが収納されている。そして、回転阻止部１４ａの各辺と開口部２２ａの各辺がそれぞれ当接することで、ストッパアーム２０の回転が阻止される。また、開口部２２ａと回転阻止部１４ａが、ともに略正方形形状を備えているため、９０度間隔で開口部２２ａと回転阻止部１４ａとが係合することができる。
【００３０】
底部２２ｂは、半円形状の半円部分２２ｄとこの半円部分２２ｄの直径と同じ長さの一辺を備える長方形部分２２ｅとを組み合わせた形状を備え、支承軸１４の過回転防止部１４ｄが収納されている。長方形部分２２ｅの半円部分２２ｄと連結する側壁２２ｃが過回転防止部１４ｄの突部１４ｆと当接することで、ストッパアーム２０が回転する角度を９０度に規制している。
【００３１】
なお、底部２２ｂは、ストッパアーム２０をスライドさせて、開口部２２ａと回転阻止部１４ａとの係合が解除された状態でも底部２２ｂと過回転防止部１４ｄとの係合が可能な深さを備えている。
【００３２】
第２の回転防止構造を構成する係止穴１５は、略長方形形状を備え、支承面１３上の支承軸１４から離れた位置に設けられている。
【００３３】
係止穴１５と係合する係止突起２３は、略長方形断面の箱形状を備え、ストッパアーム２０の回転面２１上の支承穴２２から離れた位置に突設されている。
【００３４】
なお、支承面１３と回転面２１の外周部分には、それぞれに段付き部１３ａ、２１ａが設けられ、支承面１３には凸形状が形成され、回転面には凹形状が形成されている。これにより、支承面１３と回転面２１が係合し、ストッパアーム２０が扉開放不能位置に保持された状態では、段付き部１３ａ、２１ａによって支承軸１４に外部から手を加えることができないようになっている。
【００３５】
本実施形態の扉用ロック装置１０を組み立てる手順は、まず、アームホルダ３４のカム孔３４ｃにシリンダカム３３を挿入しつつ、アームホルダ３４のフォーク部分３４ｆに支承軸１４の支持部１４ｃを挿入した状態で、アームホルダ３４を錠収納室２４と支承穴２２に収納する。
【００３６】
次に、シリンダカム３３のシリンダ受け穴３３ａとシリンダ錠３１のカム突起３１ｂとが係合するようにシリンダ錠３１を錠挿通孔２４ｂにカム突起３１ｂから挿入する。ここで、シリンダ錠３１とシリンダカム３３との間にカムストッパ３６を挟持させた状態で、錠収納室２４に収納されたラージナット３５とシリンダ錠３１を螺合させるとともに、カムストッパ３６をネジ２６で錠収納室２４に固定することで、シリンダ錠３１を錠収納室２４に固定しつつ、シリンダカム３３を回転自在に支持している。
【００３７】
さらに、ガードプレート２５を錠収納室２４の開口部にネジ止めして、アームホルダ３４等の脱落、およびゴミなどの咬み込みを防止し、組み立てが完了する。
【００３８】
次に、本実施形態の扉用ロック装置１０の動きを詳細に説明する。
【００３９】
＜扉開放不能位置、施錠状態＞
ストッパアーム２０が、扉開放不能位置に施錠状態では、図１に示されるように、本体１１は、箱体４０の側面に固着され、ストッパアーム２０が、扉開放不能位置に支持され、且つ具備する錠機構３０が施錠されている。この状態で本実施形態の扉用ロック装置１０は、図５、図６、および図８に示されるように、支承軸１４の回転阻止部１４ａと支承穴２２の開口部２２ａとが係合しつつ、ストッパアーム２０の係止突起２３と本体１１の係止穴１５とが係合していることにより、ストッパアーム２０が扉４２に沿った平面上を回転することができない。また、アームホルダ３４のカム孔３４ｃの円孔部分３４ｄとシリンダカム３３のカム面３３ｆの円弧状の周面３３ｅ、３３ｅとが係合していることにより、支承軸１４の軸方向に沿ってストッパアーム２０がスライドをすることが阻止されるために、回転阻止部１４ａと開口部２２ａの係合が解除されないので、この状態では、扉４２を開放することはできない。
【００４０】
＜扉開放不能位置、解錠状態＞
ストッパアーム２０が、扉開放不能位置で解錠された状態では、支承軸１４の軸方向に沿ってストッパアーム２０がスライド可能になり、図２に示されるような状態になる。この状態で扉用ロック装置１０は、図９〜図１２に示されるように、シリンダ錠３１が解錠されると、シリンダカム３３が回転し、カム面３３ｆの円弧状の周面３３ｅ、３３ｅとカム孔３４ｃの円孔部分３４ｄの係合が解除され、シリンダカム３３がカム孔３４ｃの長孔部分３４ｅにスライドできるようになる。
【００４１】
そして、ストッパアーム２０が支承軸１４の軸方向にスライドし、シリンダカム３３が長孔部分３４ｅに挿入されると、開口部２２ａと回転阻止部１４ａとの係合が解除されるとともに、係止突起２３と係止穴１５との係合が解除されつつ、支承穴２２の底部２２ｂと支承軸１４の過回転防止部１４ｄとが当接し、ストッパアーム２０が扉開放不能位置と扉開放位置との間を回動自在に支持される。
【００４２】
＜扉開放位置、解錠状態＞
ストッパアーム２０が、扉開放位置で解錠された状態では、図３に示されるように、上述の扉開放不能位置で解錠された状態のストッパアーム２０が、支承軸１４から垂下された状態である。この状態で扉用ロック装置１０は、図１３〜図１６に示されるように、シリンダカム３３が、カム孔３４ｃの長孔部分３４ｅに挿入され、開口部２２ａと回転阻止部１４ａの係合が解除されるとともに、係止突起２３と係止穴１５との係合が解除されつつ、支承穴２２の底部２２ｂと支承軸１４の過回転防止部１４ｄとが当接し、ストッパアーム２０が扉開放不能位置と扉開放位置との間を回動自在に支持される。
【００４３】
また、ストッパアーム２０は、この状態で本体１１の段付き部１２ａよりも扉４２側に突出しないように形成されているので、扉４２の開閉を妨げることはない。
【００４４】
＜扉開放位置、施錠状態＞
ストッパアーム２０が、扉開放位置で施錠された状態では、図４に示されるように、上述の扉開放位置で垂下状態にあったストッパアーム２０が支承軸１４の軸方向にスライドして、開口部２２ａと回転阻止部１４ａが係合することで扉開放不能位置に支持され、且つ具備する錠機構３０が施錠されている。この状態で扉用ロック装置１０は、図１７〜図１９に示されるように、回転阻止部１４ａと開口部２２ａが係合ていることにより、ストッパアーム２０が扉４２に沿った平面上を回転することができない。
【００４５】
また、アームホルダ３４のカム孔３４ｃの円孔部分３４ｄとシリンダカム３３のカム面３３ｆの円弧状の周面３３ｅ、３３ｅとが係合していることにより、支承軸１４の軸方向に沿ってストッパアーム２０がスライドをすることが阻止されるために、回転阻止部１４ａと開口部２２ａの係合が解除されない。したがって、この状態では、扉４２の開閉を妨げない位置にストッパアーム２０が支持されるので、扉４２の開閉を自在に開閉することができる。
【００４６】
なお、この状態で係止突起２３が、本体１１の各部分と当接することなく外部に位置するように係止突起２３と本体１１の外形とが形成されているので、扉開放位置でストッパアーム２０が支承軸方向にスライドすることが妨げられない。
【００４７】
以上の構成により、ストッパアームが扉の表面に沿った平面上を回動するので、扉開放不能位置では扉を開くことができないために十分な防護性を備え、扉開放位置では扉の開閉の支障とならない位置にストッパアームが退避するので、扉を開けた状態で行われる商品の補充、入替え、および集金等の作業を妨げることがない。
【００４８】
扉開放不能位置と扉開放位置にストッパアームが位置する状態で、係合部と係合受け部とが係合し、ストッパアームがそれぞれの位置に保持されるので、ストッパアームが扉開放不能位置で保持された場合は扉の開放を阻止し、ストッパアームが扉開放位置で保持された場合は扉を開けた状態での作業性が改善される。
【００４９】
錠機構によってストッパアームが確実に扉開放不能位置に保持されるので、ストッパアームが扉開放位置で保持された場合は扉を開けた状態での作業性が更に改善される。
【００５０】
複数の回転防止機構が設けられていることにより、より強固な防護性を備えることができる。
【００５１】
なお、本実施形態では、回転する中心軸から離れた場所に係止突起と係止穴が設けられているので、支承軸に回転阻止部を設ける場合よりも小さな構造で外部からの強制的な回転力に対して十分な抗力を発揮することができる。
【００５２】
【発明の効果】
請求項１に記載の本発明によれば、ストッパアームが扉の表面に沿った平面上を回動するので、扉開放不能位置では扉を開くことができないために十分な防護性を備え、扉開放位置では扉の開閉の支障とならない位置にストッパアームが退避するので、扉を開けた状態で行われる商品の補充、入替え、および集金等の作業を妨げることがない。
【００５３】
請求項２に記載の本発明によれば、請求項１の発明の効果に加え、扉開放不能位置と扉開放位置にストッパアームが位置する状態で、係合部と係合受け部とが係合し、ストッパアームがそれぞれの位置に保持されるので、ストッパアームが扉開放不能位置で保持された場合は扉の開放を阻止し、ストッパアームが扉開放位置で保持された場合は扉を開けた状態での作業性が改善される。
【００５４】
請求項３に記載の本発明によれば、請求項１と請求項２の発明の効果に加え、錠機構によってストッパアームが確実に扉開放不能位置に保持されるので、ストッパアームが扉開放位置で保持された場合は扉を開けた状態での作業性が更に改善される。
【００５５】
請求項４に記載の本発明によれば、請求項２の発明の効果に加え、複数の回転防止機構が設けられていることにより、より強固な防護性を備えることができる。
【図面の簡単な説明】
【図１】本実施形態の扉用ロック装置のストッパアームが、扉開放不能位置で施錠された状態を示す斜視図である。
【図２】本実施形態の扉用ロック装置のストッパアームが、扉開放不能位置で解錠された状態を示す斜視図である。
【図３】本実施形態の扉用ロック装置のストッパアームが、扉開放位置で解錠された状態を示す斜視図である。
【図４】本実施形態の扉用ロック装置のストッパアームが、扉開放位置で施錠された状態を示す斜視図である。
【図５】図１に示される扉用ロック装置の下面図で、且つストッパアームについてＡ−Ａ線に沿った面で切った断面図である。
【図６】図５のＢ−Ｂ線に沿った面で切った断面図である。
【図７】図６のＣ−Ｃ線に沿った面で切った断面図である。
【図８】図１のＤ方向から見た側面図である。
【図９】図２に示される扉用ロック装置の下面図で、且つストッパアームについてＡ−Ａ線に沿った面で切った断面図である。
【図１０】図９のＢ−Ｂ線に沿った面で切った断面図である。
【図１１】図１０のＣ−Ｃ線に沿った面で切った断面図である。
【図１２】図２のＤ方向から見た側面図である。
【図１３】図３に示される扉用ロック装置の下面図で、且つストッパアームについてＡ−Ａ線に沿った面で切った断面図である。
【図１４】図１３のＢ−Ｂ線に沿った面で切った断面図である。
【図１５】図１４のＣ−Ｃ線に沿った面で切った断面図である。
【図１６】図３のＤ方向から見た側面図である。
【図１７】図４に示される扉用ロック装置の下面図で、且つストッパアームについてＡ−Ａ線に沿った面で切った断面図である。
【図１８】図１７のＢ−Ｂ線に沿った面で切った断面図である。
【図１９】図４のＤ方向から見た側面図である。
【図２０】従来の自動販売機等の扉用ロック装置の構成を示す要部断面図である。
【符号の説明】
１０…扉用ロック装置
１１…本体
１４…支承軸（係合部）
１５…係止穴（係合受け部）
２０…ストッパアーム
２２…支承穴（係合受け部）
２３…係止突起（係合部）
３０…錠機構
４０…箱体
４２…扉
【図１】
2004156279.tif 000003
【図２】
2004156279.tif 000004
【図３】
2004156279.tif 000005
【図４】
2004156279.tif 000006
【図５】
2004156279.tif 000007
【図６】
2004156279.tif 000008
【図７】
2004156279.tif 000009
【図８】
2004156279.tif 000010
【図９】
2004156279.tif 000011
【図１０】
2004156279.tif 000012
【図１１】
2004156279.tif 000013
【図１２】
2004156279.tif 000014
【図１３】
2004156279.tif 000015
【図１４】
2004156279.tif 000016
【図１５】
2004156279.tif 000017
【図１６】
2004156279.tif 000018
【図１７】
2004156279.tif 000019
【図１８】
2004156279.tif 000020
【図１９】
2004156279.tif 000021
【図２０】
2004156279.tif 000022